(57)【要約】【課題】この発明は、記録された各データに対するバックアップの有無を自動的に管理して上書きする記録領域を決定する要素とすることにより、必要な撮影データの消失を防止しユーザにとっての取り扱いを便利にし得る撮像装置、情報記録装置及び情報記録方法を提供することを目的としている。【解決手段】撮影データを記録する記録手段（２９ｂ）と、記録された撮影データをバックアップのために外部の記録装置（１２）に送信するとともに、記録装置（１２）からのバックアップ完了通知を受信する送受信手段（３５）と、受信したバックアップ完了通知に基づいて、記録手段（２９ｂ）に記録された撮影データに対して、バックアップされたか否かを示す情報を対応付けた管理リストを作成する作成手段（３０ａ）と、作成された管理リストを表示する表示手段（２８ｂ）とを備える。【選択図】      図３
2009124591.tif 000002
【特許請求の範囲】
【請求項１】
撮影された被写体の光学像に対応する撮影データを生成する生成手段と、
前記生成手段で生成された撮影データを記録する記録手段と、
前記記録手段に記録された撮影データをバックアップのために外部の記録装置に送信するとともに、前記記録装置からのバックアップ完了通知を受信する送受信手段と、
前記送受信手段で受信したバックアップ完了通知に基づいて、前記記録手段に記録された撮影データに対して、バックアップされたか否かを示す情報を対応付けた管理リストを作成する作成手段と、
前記作成手段で作成された管理リストを表示する表示手段とを具備することを特徴とする撮像装置。
【請求項２】
前記作成手段は、前記記録手段に記録された撮影データに対し、バックアップされたか否かを示す情報に基づいて、その撮影データの記録領域に上書きが可能か否かを示す情報を作成して対応付けることを特徴とする請求項１記載の撮像装置。
【請求項３】
前記作成手段は、バックアップされたことを示す情報の対応付けられた撮影データに対して、その記録領域に上書きが可能であることを示す情報を対応付けることを特徴とする請求項２記載の撮像装置。
【請求項４】
前記作成手段は、上書きが可能か否かを示す情報を操作によって設定することが可能であることを特徴とする請求項２記載の撮像装置。
【請求項５】
前記作成手段は、バックアップされたことを示す情報の対応付けられた撮影データに対して、そのバックアップ先と日時とを示す情報を対応付けることを特徴とする請求項２記載の撮像装置。
【請求項６】
前記作成手段は、上書きが可能か否かを示す情報に基づいて、前記記録手段の記録領域を、上書き可能領域、上書き不可領域及び未記録領域に分割し、各領域の容量を示す残量表示を行なうことを特徴とする請求項２記載の撮像装置。
【請求項７】
前記作成手段は、上書きが可能であることを示す情報の対応付けられた撮影データ、または、バックアップされた撮影データの記録領域を自動的に上書き可能とするように設定されている状態で、バックアップされたことを示す情報の対応付けられた撮影データに対して、その記録領域を上書き可能領域に登録することを特徴とする請求項６記載の撮像装置。
【請求項８】
データを生成する生成手段と、
前記生成手段で生成したデータを記録する記録手段と、
前記記録手段に記録されたデータをバックアップのために外部の記録装置に送信するとともに、前記記録装置からのバックアップ完了通知を受信する送受信手段と、
前記送受信手段で受信したバックアップ完了通知に基づいて、前記記録手段に記録されたデータに対して、バックアップされたか否かを示す情報を対応付けた管理リストを作成する作成手段と、
前記作成手段で作成された管理リストを表示する表示手段とを具備することを特徴とする情報記録装置。
【請求項９】
データを生成する第１の工程と、
前記第１の工程で生成したデータを記録する第２の工程と、
前記第２の工程で記録されたデータをバックアップのために外部の記録装置に送信するとともに、前記記録装置からのバックアップ完了通知を受信する第３の工程と、
前記第３の工程で受信したバックアップ完了通知に基づいて、前記第２の工程で記録されたデータに対して、バックアップされたか否かを示す情報を対応付けた管理リストを作成する第４の工程と、
前記第４の工程で作成された管理リストを表示する第５の工程とを具備することを特徴とする情報記録方法。
【発明の詳細な説明】
【技術分野】
【０００１】
この発明は、デジタル化された情報データの記録手段として例えばＨＤＤ（hard disk drive）等を内蔵してなる撮像装置、情報記録装置及び情報記録方法に関する。
【背景技術】
【０００２】
周知のように、撮影データをデジタル記録する記録手段として例えばＨＤＤを内蔵したビデオカメラ等の撮像装置においては、そのハードディスクに記録されている撮影データを、外部の他の記録メディアにコピーして保存させる、いわゆるバックアップを行なうことが必要とされる。
【０００３】
このように、ハードディスクに記録された撮影データに対してバックアップを行なうことにより、ハードディスク上でバックアップが終了した撮影データの記録領域には、新たな撮影データを上書きすることが可能となって、ハードディスクをオーバーフローさせることなく繰り返し使用するができる。
【０００４】
ところで、ハードディスクには、多数の撮影データが記録されており、それぞれの撮影データに対してユーザが上書き可能であるか否かを個々に設定するのは、非常に作業が煩雑で時間を要することになる。また、この設定作業は誤りが生じ易く、上書きする領域を誤って設定すると、必要な撮影データを消失させてしまうことになる。
【０００５】
特許文献１には、ユーザが上書きモード選択スイッチを操作して上書きモードに設定されたとき、上書きモードメッセージを表示させて、ハードディスクの空き領域がなくなった場合、日付情報に基づいて、ハードディスクの一番古いデータの記録領域から映像信号を上書きすることが開示されている。
【特許文献１】特開平１１−１１２９１９号公報
【発明の開示】
【発明が解決しようとする課題】
【０００６】
そこで、この発明は上記事情を考慮してなされたもので、記録された各データに対するバックアップの有無を自動的に管理して上書きする記録領域を決定する要素とすることにより、必要な撮影データの消失を防止しユーザにとっての取り扱いを便利にし得る撮像装置、情報記録装置及び情報記録方法を提供することを目的とする。
【課題を解決するための手段】
【０００７】
この発明に係る撮像装置は、撮影された被写体の光学像に対応する撮影データを生成する生成手段と、生成手段で生成された撮影データを記録する記録手段と、記録手段に記録された撮影データをバックアップのために外部の記録装置に送信するとともに、記録装置からのバックアップ完了通知を受信する送受信手段と、送受信手段で受信したバックアップ完了通知に基づいて、記録手段に記録された撮影データに対して、バックアップされたか否かを示す情報を対応付けた管理リストを作成する作成手段と、作成手段で作成された管理リストを表示する表示手段とを備えるようにしたものである。
【０００８】
また、この発明に係る情報記録装置は、データを生成する生成手段と、生成手段で生成したデータを記録する記録手段と、記録手段に記録されたデータをバックアップのために外部の記録装置に送信するとともに、記録装置からのバックアップ完了通知を受信する送受信手段と、送受信手段で受信したバックアップ完了通知に基づいて、記録手段に記録されたデータに対して、バックアップされたか否かを示す情報を対応付けた管理リストを作成する作成手段と、作成手段で作成された管理リストを表示する表示手段とを備えるようにしたものである。
【０００９】
さらに、この発明に係る情報記録方法は、データを生成する第１の工程と、第１の工程で生成したデータを記録する第２の工程と、第２の工程で記録されたデータをバックアップのために外部の記録装置に送信するとともに、記録装置からのバックアップ完了通知を受信する第３の工程と、第３の工程で受信したバックアップ完了通知に基づいて、第２の工程で記録されたデータに対して、バックアップされたか否かを示す情報を対応付けた管理リストを作成する第４の工程と、第４の工程で作成された管理リストを表示する第５の工程とを備えるようにしたものである。
【発明の効果】
【００１０】
上記した発明によれば、記録されたデータに対してバックアップされたか否かを示す情報を対応付けた管理リストを作成し表示させるようにしたので、記録された各データに対するバックアップの有無を自動的に管理して上書きする記録領域を決定する要素とすることができ、必要な撮影データの消失を防止しユーザにとっての取り扱いを便利にすることが可能となる。
【発明を実施するための最良の形態】
【００１１】
以下、この発明の実施の形態について図面を参照して詳細に説明する。図１は、この実施の形態で説明する撮像システムの概略を示している。この撮像システムは、撮像装置としてのデジタルビデオカメラ１１と、このデジタルビデオカメラ１１に対してデータのバックアップを行なう記録装置となるＨＤＤレコーダ１２とから構成されている。
【００１２】
このデジタルビデオカメラ１１は、ＨＤ（high definition）対応での撮影が可能で、その撮影データは、内蔵されたハードディスク（図示せず）に記録される。このデジタルビデオカメラ１１のハードディスクに記録された撮影データは、ユーザの要求により、ＨＤＤレコーダ１２のハードディスク１２ａにコピーされてバックアップされる。
【００１３】
このとき、ＨＤＤレコーダ１２は、そのハードディスク１２ａに記録した撮影データについてバックアップ完了通知を生成し、デジタルビデオカメラ１１に出力する。これにより、デジタルビデオカメラ１１では、バックアップ完了通知に基づいて、どの撮影データをバックアップしたかを管理し、ハードディスクの上書き領域を決定している。
【００１４】
図２は、上記デジタルビデオカメラ１１の外観を示している。図２（ａ）はデジタルビデオカメラ１１を上部から見た状態を示し、同図（ｂ）はデジタルビデオカメラ１１を後方から見た状態を示している。すなわち、このデジタルビデオカメラ１１は、主として、カメラ本体１３、表示パネル１４及びレンズ部１５とから構成されている。
【００１５】
このうち、カメラ本体１３には、電源スイッチ１６、ズームレバー１７、撮像／再生切替スイッチ１８、撮像スイッチ１９、チャプタースイッチ２０、オート設定スイッチ２１及び静止画撮影用スイッチ２２等を備えている。
【００１６】
電源スイッチ１６は、デジタルビデオカメラ１１の電源状態を切り替えるものである。ズームレバー１７は、レンズ部１５のレンズの焦点距離を調整するものである。撮像／再生切替スイッチ１８は、デジタルビデオカメラ１１の動作モードを、映像を撮影する撮像モードと、記憶されている撮影データを再生する再生モードとに切り替えるものである。
【００１７】
また、撮像スイッチ１９は、デジタルビデオカメラ１１の動作モードが撮像モードである場合に、映像の撮影データの記録を実行するものである。チャプタースイッチ２０は、撮影データに区切りを設定するものである。オート設定スイッチ２１は、映像を撮像する場合、例えば、光感度や明るさ等の各種の項目を自動的に設定する処理を実行するものである。静止画撮影用スイッチ２２は、静止画撮影に切り替えるものである。
【００１８】
さらに、表示パネル１４は、デジタルビデオカメラ１１の表示部で、カメラ本体１３に対して開閉可能な状態で取り付けられている。この表示パネル１４は、通常、カメラ本体１３の側面に形成された凹部に収まるもので、使用時には図に示すように開かれる。表示パネル１４は、その長手方向を軸として回転することができる。
【００１９】
また、表示パネル１４は、液晶モニタを備えている。液晶モニタは、デジタルビデオカメラ１１が撮影している映像を表示するものであり、アスペクト比１６：９のハイビジョン用画面により構成されている。表示パネル１４の液晶モニタの外枠には、ジョグダイヤル２３、メニュースイッチ２４及び多機能スイッチ２５等が設けられている。
【００２０】
ジョグダイヤル２３は、各種機能の選択操作を行なうものであり、例えば、回転可能なダイヤルにより構成される。メニュースイッチ２４は、液晶モニタに各種のメニュー表示を行なわせるものである。多機能スイッチ２５は、十字キー機能を含み各種機能の選択操作を行なうことができ、例えば、上下左右の各部をそれぞれ押圧操作可能である。
【００２１】
また、多機能スイッチ２５は、ＯＫキー機能を含み、各種機能の選択操作を確定するものであり、十字キーの中央に設けられている。なお、ジョグダイヤル２３と多機能スイッチ２５とが隣接して設けられることにより、ジョグダイヤル２３を操作後にＯＫキーを容易に操作することができる。
【００２２】
ユーザは、右手でカメラ本体１３を安定して支え、左手で表示パネル１４のフレームを支える。そして、左手の親指で、メニュースイッチ２４、ジョグダイヤル２３及び多機能スイッチ２５を任意に選択して操作することができ、操作性が優れている。
【００２３】
なお、レンズ部１５は、映像を撮像するためのものであり、被写体の光学像を受光するための撮像レンズを有する。
【００２４】
図３は、上記したデジタルビデオカメラ１１の光学系及び電気系についての各ブロック構成を示している。すなわち、このデジタルビデオカメラ１１は、主として、画像取り込み部２６、画像データ処理部２７、表示部２８、記憶部２９及び制御部３０等を備えている。
【００２５】
画像取り込み部２６は、撮像レンズ２６ａ、撮像素子２６ｂ、Ａ／Ｄ（analog／digital）変換部２６ｃ及び制御部２６ｄを備えている。撮像レンズ２６ａから取り込まれた被写体の光学像は、例えばＣＣＤ（charge coupled device）等の撮像素子２６ｂの結像面に結像されて電気信号に変換され、Ａ／Ｄ変換部２６ｃによりデジタル信号に変換された後、後段の信号処理部２７ａに入力される。制御部２６ｄは、制御部３０からの制御信号に基づいてズーム調整、自動アイリス調整（ＡＥ）、自動フォーカス調整（ＡＦ）、フラッシュ制御等を行なうことができる。
【００２６】
画像データ処理部２７は、信号処理部２７ａ、メモリコントローラ２７ｂ、画像圧縮・伸張処理部２７ｃ、ワークメモリ２７ｄ及びメモリ２７ｅを備えている。信号処理部２７ａでは、画像取り込み部２６から供給された画像データに対して、ガンマ補正、色信号分離、ホワイトバランス調整等を施している。
【００２７】
通常の撮影状態で撮影開始操作（シャッタ操作）がなされていないときは、信号処理部２７ａからの画像データは、メモリコントローラ１７ｂを介して画像表示処理部２８ａに入力される。撮影開始操作（シャッタ操作）がなされると、画像データは、画像圧縮・伸張処理部２７ｃにおいて、記憶部２９に格納するために、例えばＪＰＥＧ（joint photographic experts group）方式による画像圧縮処理が施されて表示用画像データに変換される。
【００２８】
ワークメモリ２７ｄは、例えば、画像データを編集したり、サムネイル画像を作成したり、画像の順番の入れ替えをするときに利用される。すなわち、ワークメモリ２７ｄは、処理対象である画像データを一時的に記憶する一時記憶部としての機能を有する。さらには、各種のアイコンを編集する場合にも利用される。このワークメモリ２７ｄは、１画面分の画像データ、あるいは複数画面分の画像データを保存することができる。このワークメモリ２７ｄに保存されている画像データは、メモリコントローラ２７ｂを介して画像表示処理部２８ａに入力される。
【００２９】
表示部２８は、画像表示処理部２８ａ及び液晶モニタ２８ｂを備えている。画像表示処理部２８ａは、受信した表示用画像データに対して、液晶モニタ２８ｂに表示するための変換処理や、メニュー等の各種の表示パーツ（アイコン等）を合成するＯＳＤ（on screen display）合成等を行ない、液晶モニタ２８ｂに供給する。液晶モニタ２８ｂは、受信した表示用画像データを逐次表示する。これにより、撮像中の画像、あるいはスタンバイ状態で狙っている被写体画像が液晶モニタ２８ｂに表示される。
【００３０】
記憶部２９は、記録メディアＩ／Ｏ（input／output）２９ａを備えている。記録メディアＩ／Ｏ２９ａは、ハードディスク２９ｂ、もしくは半導体メモリ２９ｃ等の記録媒体（記録メディア）に対して、データの書き込み及び読み出しを行なうことができる。この場合、記録メディアＩ／Ｏ２９ａは、制御部３０による制御に基づいて、記録媒体に記録用画像データを格納する。
【００３１】
また、制御部３０による制御に基づいて、記録メディアＩ／Ｏ２９ａが記録媒体に格納されている記録用画像データを読み出した場合、その記録用画像データは、画像圧縮・伸張処理部２７ｃにおいて伸張処理されて表示用画像データに変換され、メモリコントローラ２７ｂを介して画像表示処理部２８ａに入力される。すなわち、再生画像が液晶モニタ２８ｂに表示される。なお、記録メディアとしては、上記のものに限らず、例えばＤＶＤ（digital versatile disk）等の光ディスクであってもよいものである。
【００３２】
制御部３０は、システム制御部３０ａを備えている。このシステム制御部３０ａは、デジタルビデオカメラ１１全体の動作を統括的に制御するものであり、ＣＰＵ（central processing unit）、ＣＰＵの作業領域として機能するＲＡＭ（random access memory）等のバッファメモリ、ＣＰＵが実行する種々のプログラムや制御データ等が記録されているＲＯＭ（read only memory）等のプログラムメモリから構成される。システム制御部３０ａでは、ＣＰＵがプログラムメモリに記憶されているプログラムを実行することにより種々の機能を実現している。
【００３３】
また、デジタルビデオカメラ１１は、操作部３１、リモートコントローラ３２から送出される操作情報を受信するリモコン受信部３３、姿勢検出部３４、外部インターフェース３５、音声Ｉ／Ｏ３６、マイクロホン３７及びスピーカ３８等を備えている。
【００３４】
操作部３１は、上記カメラ本体１３及び表示パネル１４に配置されている各種のスイッチの総称である。リモコン受信部３３は、外部のリモートコントローラ３２から出力される操作情報を受信するものである。上記制御部３０は、操作部３１及びリモコン受信部３３により受信した操作情報を装置全体に反映させるように制御している。
【００３５】
姿勢検出部３４は、デジタルビデオカメラ１１の本体と水平との傾きを検出するものである。姿勢検出部３４は、例えば、傾斜角センサ、水平検出回路、ジャイロセンサ等の角度検出デバイスにより構成される。すなわち、姿勢検出部３４は、撮影時、撮像レンズ２６ａが受光する光の光軸を中心として左右への傾き（姿勢）を検出し、検出した姿勢検出信号をデジタル変換し、制御部３０に送信する。
【００３６】
外部接続インターフェース３５は、例えば、ＰＣ（personal computer）やテレビジョン受信機、上記したＨＤＤレコーダ１２等の外部機器と接続可能なインターフェースであり、ＬＡＮ（local area network）、ＵＳＢ（universal serial bus）及びＨＤＭＩ（high definition multimedia interface）等のデジタルインターフェースにより構成される。
【００３７】
マイクロホン３７は、映像の編集時、あるいは撮影時に、音声を入力するものである。マイクロホン３７により取り込まれた音声は、音声Ｉ／Ｏ３６を介して音声データとして制御部３０に入力される。制御部３０は、受け取った音声データを、撮影した記録用画像データとペアとして記録媒体に記録することができる。
【００３８】
記録された音声データを再生する場合、制御部３０は、撮像した記録用画像データと同時に記録媒体から音声データを読み出し、画像再生を行ないながら音声Ｉ／Ｏ３６を介してスピーカ３８から音声を出力することができる。ただし、画像を再生し確認を行なうときには、音声を消音することも可能である。
【００３９】
図４は、上記したシステム制御部３０ａが行なう機能をブロック化して示している。撮像制御部３０ｂは、操作入力に応じて撮影モードを設定し、取得画像データを取り込むために各部を制御する。再生制御部３０ｃは、操作入力に応じて再生モードを設定する。表示制御部３０ｄは、画像データ処理部２７からの表示用画像データを液晶モニタ２８ｂに表示する。
【００４０】
記録制御部３０ｅは、取得画像データが画像データ処理部２７で圧縮されて記録用画像データに変換され、選択された記録メディアに記録されるように、各部を制御する。操作入力判定部３０ｆは、操作部３１、あるいはリモコン受信部３３から入力した操作信号を解析して操作信号を判定する。
【００４１】
表示パーツ選択部３０ｇは、メニュー画面等に表示する任意の表示パーツ（アイコン、マーク等）を選択する。各種表示パーツは、メモリまたは画像表示処理部２８ａに格納されている。
【００４２】
表示パーツ移動処理部３０ｈは、操作入力に応答して、表示パーツの移動・消去等を制御する。ハイライト（カーソル）位置制御部３０ｉは、操作入力に応答して、ハイライト位置（カーソル位置）の表示位置を制御する。機能設定部３０ｊは、セットアップ部３０ｋとともに、デジタルビデオカメラ１１に対して各種機能を設定する部分である。基本処理制御部３０ｌは、基本的な動作機能、例えばデータ転送、読出し、タイミング設定等を制御する部分である。
【００４３】
サムネイル制御部３０ｍは、サムネイルの作成、表示、スクロール等の制御を実行する。チャプター制御部３０ｎは、チャプター管理機能を有し、チャプターの生成、チャプターの代表画像の設定とその小画像の作成等を実行する。姿勢情報処理部３０ｏは、姿勢検出部３４からの姿勢検出信号に基づいて、デジタルビデオカメラ１１本体と水平との傾き、すなわち角度を算出する。
【００４４】
また、システム制御部３０ａは、バックアップ管理制御部３０ｐを備えている。このバックアップ管理制御部３０ｐは、図５に示すように、デジタルビデオカメラ１１のハードディスク２９ｂに記録された全ての撮影データ１，２，……，ｎに対して、それぞれ、バックアップされているか否かを示すバックアップフラグと、バックアップされている場合バックアップ先及び日時を示す情報と、その撮影データが記録されているハードディスク２９ｂ上の記録領域に上書きが可能かを示すオーバーライトフラグとを、対応させて管理している。
【００４５】
このうち、バックアップフラグについては、デジタルビデオカメラ１１のハードディスク２９ｂに記録されている撮影データについて、ＨＤＤレコーダ１２のハードディスク１２ａにバックアップすることが要求されたことと、ＨＤＤレコーダ１２からバックアップ完了通知が返送されたこととに基づいて自動的に設定される。
【００４６】
また、バックアップ先及び日時を示す情報については、ユーザの設定したバックアップ先（この場合、ＨＤＤレコーダ１２）と、バックアップを行なった日時とに基づいて設定される。
【００４７】
さらに、オーバーライトフラグについては、ユーザがオーバーライト自動設定状態に設定しておくことにより、バックアップフラグがオン、つまり、バックアップ済みの撮影データが記録されているハードディスク２９ｂ上の領域を、自動的にオーバーライトオン、つまり、上書き可能に設定することができる。ただし、オーバーライト自動設定状態を解除することにより、ユーザが各撮影データに対してそれぞれ自由にオーバーライトフラグをオンオフ設定できるようにすることも可能である。
【００４８】
これにより、デジタルビデオカメラ１１のハードディスク２９ｂに記録されている各撮影データについては、
バックアップフラグがオフ（図５で×）で、オーバーライトフラグもオフ（図５で×）、つまり、バックアップされておらず上書きも不可の状態、
バックアップフラグがオフで、オーバーライトフラグがオン（図５で○）、つまり、バックアップされていないけれども上書き可能の状態、
バックアップフラグがオン（図５で○）で、オーバーライトフラグがオフ、つまり、バックアップされているけれども上書き不可の状態、
バックアップフラグがオンで、オーバーライトフラグもオン、つまり、バックアップされていて上書きも可能な状態、
の４つの状態が設定可能となる。
【００４９】
オーバーライト自動設定の設定及び解除は、ユーザが、例えば、上記メニュースイッチ２４を操作して、階層構造となされたメニュー画面に分け入ることにより、図６に示すようなオーバーライト自動設定切替画面に到達し、その画面上で「設定する」及び「解除する」のいずれかの項目を、上記多機能スイッチ２５で選択し決定することにより実現される。
【００５０】
このバックアップ管理制御部３０ｐの作成する図５に示した管理リストは、ユーザの要求に応じて、上記表示パネル１４の液晶モニタ２８ｂに表示することができる。この管理リストを見ることにより、ユーザは、デジタルビデオカメラ１１のハードディスク２９ｂに記録されている各撮影データについて、バックアップされているか否か、上書きされるか（つまり消去されるか）否かを容易に把握することができる。
【００５１】
また、オーバーライト自動設定状態に設定しておくことにより、ユーザがデジタルビデオカメラ１１のハードディスク２９ｂに記録されている撮影データをバックアップする毎に、その撮影データに対するオーバーライトフラグが自動的にオンされて上書き可能状態となるので、ユーザがバックアップした撮影データに対して、ハードディスク２９ｂ上から消去したり、手動で上書き可能状態に設定したりする必要がなく、ユーザにとって取り扱いが便利なものとなる。
【００５２】
さらに、オーバーライト自動設定状態で設定されたオーバーライトフラグを、ユーザがオーバーライト自動設定状態を解除して手動でオンオフ設定可能としているので、各撮影データそれぞれに対してユーザの要求に沿ったオーバーライトフラグの設定を行なうことが可能となり、このような点でも、ユーザにとって取り扱いが便利なものとなる。
【００５３】
この場合、オーバーライト自動設定状態で設定されたオーバーライトフラグのうち、ユーザの希望にそぐわないオーバーライトフラグだけをユーザが手動で設定変更するだけであるため、ユーザの操作が簡易になり、このような点でも、ユーザにとって取り扱いが便利なものとなる。
【００５４】
また、主として、バックアップしている撮影データを上書きの対象としているため、バックアップしていない撮影データが誤まって上書きされ消去されてしまうことを極力防止することができる。
【００５５】
なお、デジタルビデオカメラ１１のハードディスク２９ｂに記録されている撮影データに対するバックアップは、ユーザの操作に基づいて行なわれるが、例えば、デジタルビデオカメラ１１を装着して充電を行なうためのクレードル（図示せず）に記録装置を接続しておき、ユーザがデジタルビデオカメラ１１をクレードルに装着したときに、自動的にハードディスク２９ｂに記録されているバックアップされていない撮影データが、クレードルを介して記録装置に記録されてバックアップされるようにしても良いものである。
【００５６】
図７は、バックアップが行なわれた撮影データに対して、そのハードディスク２９ｂ上の記録領域にオーバーライトフラグを自動的に設定する処理動作をまとめたフローチャートを示している。すなわち、処理が開始（ステップＳ７ａ）され、ステップＳ７ｂで、デジタルビデオカメラ１１のハードディスク２９ｂに記録された所定の撮影データに対して、ＨＤＤレコーダ１２のハードディスク１２ａへのバックアップが実行されたことにより、ＨＤＤレコーダ１２からバックアップ完了通知が返送されると、バックアップ管理制御部３０ｐは、ステップＳ７ｃで、そのバックアップされた撮影データに対するバックアップフラグをオンに設定する。
【００５７】
その後、バックアップ管理制御部３０ｐは、ステップＳ７ｄで、オーバーライト自動設定状態に設定されているか否かを判別し、設定されていないと判断された場合（ＮＯ）、処理を終了（ステップＳ７ｆ）する。
【００５８】
また、上記ステップＳ７ｄでオーバーライト自動設定状態に設定されていると判断された場合（ＹＥＳ）、バックアップ管理制御部３０ｐは、ステップＳ７ｅで、先にバックアップされた撮影データに対するオーバーライトフラグをオンに設定して、処理を終了（ステップＳ７ｆ）する。
【００５９】
図８は、ユーザがオーバーライトフラグのオンオフを設定する処理動作をまとめたフローチャートを示している。すなわち、処理が開始（ステップＳ８ａ）されると、バックアップ管理制御部３０ｐは、ステップＳ８ｂで、例えば図５に示したような全撮影データの管理リストを表示パネル１４に表示させる。
【００６０】
そして、バックアップ管理制御部３０ｐは、ステップＳ８ｃで、管理リストの中からユーザにより所定の撮影データが選択設定されると、ステップＳ８ｄで、ユーザによりオーバーライトフラグを設定する操作が要求されたか否かを判別し、要求されていないと判断された場合（ＮＯ）、処理を終了（ステップＳ８ｈ）する。
【００６１】
また、上記ステップＳ８ｄでオーバーライトフラグを設定する操作が要求されたと判断された場合（ＹＥＳ）、バックアップ管理制御部３０ｐは、ステップＳ８ｅで、ユーザにより上書きを禁止するように設定する操作が要求されたか否かを判別し、要求されていないと判断された場合（ＮＯ）、ステップＳ８ｆで、先にユーザにより選択設定された撮影データに対するオーバーライトフラグをオンに設定して、処理を終了（ステップＳ８ｈ）する。
【００６２】
さらに、上記ステップＳ８ｅで上書きを禁止するように設定する操作が要求されたと判断された場合（ＹＥＳ）、バックアップ管理制御部３０ｐは、ステップＳ８ｇで、先にユーザにより選択設定された撮影データに対するオーバーライトフラグをオフに設定して、処理を終了（ステップＳ８ｈ）する。
【００６３】
ここで、バックアップ管理制御部３０ｐは、作成した管理リストに基づいて、図９に示すような残量表示３９を、表示パネル１４の液晶モニタ２８ｂに行なっている。この残量表示３９は、デジタルビデオカメラ１１のハードディスク２９ｂの中のユーザに提供されている全記録領域を、上書き可能に設定されている領域と、上書き不可に設定されている領域と、何も記録されていない未記録領域とに分割して示している。
【００６４】
これら３種類の領域は、表示パネル１４の液晶モニタ２８ｂにおいて、色分けされて表示されたり、文字によって区分されて表示されたりしている。図９に示す残量表示３９の例の場合、ハードディスク２９ｂの中のユーザに提供されている全記録領域の容量が１３０ＧＢある中で、上書き可能領域の容量が５０ＧＢ、上書き不可領域の容量が３０ＧＢ、未記録領域の容量が５０ＧＢであることを示しており、上書き可能領域と未記録領域との容量を加算した１００ＧＢが記録可能な容量であることを示している。
【００６５】
未記録領域は、まだ何も撮影データが書き込まれていない空き領域を示している。この未記録領域は、撮影データを記録することにより容量が減り、減った分の容量は、上書き不可領域に追加される。上書き可能領域及び上書き不可領域のいずれかの撮影データが消去されると、その分、未記録領域の容量は増加する。
【００６６】
上書き不可領域は、オーバーライトフラグがオフに設定されている撮影データの記録領域である。この上書き不可領域の容量は、新たな撮影データが記録されると増加し、そこに記録されている各撮影データのオーバーライトフラグが順次オンに設定されるに連れて減少する。
【００６７】
上書き可能領域は、未記録領域の容量が０または予め設定された容量以下になると、上書きが開始される領域である。この上書き可能領域の容量は、上書き不可領域に記録されている各撮影データのオーバーライトフラグが順次オンに設定されるに連れて増加し、上書きの実行によって減少する。
【００６８】
図９に示した残量表示３９によれば、上書き可能領域、上書き不可領域及び未記録領域の各容量を視覚的に用意に把握することができる。このため、例えば、上書き不可領域の容量が大きくなった場合や、未記録領域の容量が少なくなった場合に、ユーザは、上書き不可領域に記録されている撮影データをバックアップして上書き可能にすることにより、上書き可能領域の容量を容易に増やして記録容量を確保することができ、ユーザにとっての取り扱いを便利にすることができる。
【００６９】
このようなハードディスク２９ｂの記録容量の残量表示３９は、図１０に示すように、表示パネル１４の液晶モニタ２８ｂに、例えば電池電力の消費量表示４０とともに、撮影中及び再生中を問わず、常時表示させておくような表示形態とすることが実用上望ましいものである。
【００７０】
図１１は、バックアップ管理制御部３０ｐが、その作成した管理リストに基づいて、ハードディスク２９ｂに記録されている全撮影データの中から、上書き可能領域に登録可能なデータを取り出す処理動作をまとめたフローチャートを示している。すなわち、処理が開始（ステップＳ１１ａ）されると、バックアップ管理制御部３０ｐは、ステップＳ１１ｂで、ハードディスク２９ｂ内をサーチし、ステップＳ１１ｃで、未検索の撮影データが存在するか否かを判別し、存在しないと判断された場合（ＮＯ）、処理を終了（ステップＳ１１ｄ）する。
【００７１】
また、上記ステップＳ１１ｃで未検索の撮影データが存在すると判断された場合（ＹＥＳ）、バックアップ管理制御部３０ｐは、ステップＳ１１ｅで、未検索の撮影データの中から予め設定された優先順位に基づいて１つの撮影データを取り出し、その撮影データに付されたオーバーライトフラグを判別する。
【００７２】
そして、オーバーライトフラグがオンであると判断された場合、バックアップ管理制御部３０ｐは、ステップＳ１１ｆで、その撮影データを上書き可能領域に登録する。また、上記ステップＳ１１ｅでオーバーライトフラグがオフであると判断された場合、バックアップ管理制御部３０ｐは、ステップＳ１１ｇで、前述したオーバーライト自動設定状態、つまり、バックアップされた撮影データのハードディスク２９ｂ上の記録領域を自動的に上書き可能とするように設定されている状態において、その撮影データに付されたバックアップフラグを判別し、オンであると判断された場合、ステップＳ１１ｆで、その撮影データを上書き可能領域に登録する。
【００７３】
このステップＳ１１ｆの後、または、上記ステップＳ１１ｇでオーバーライト自動設定状態に設定されていない場合、または、撮影データに付されたバックアップフラグがオフであると判断された場合、バックアップ管理制御部３０ｐは、ステップＳ１１ｈで、その撮影データを処理済に設定し、ステップＳ１１ｂの処理に戻される。
【００７４】
ところで、上記した実施の形態では、撮像装置であるデジタルビデオカメラ１１のハードディスク２９ｂに記録された撮影データを、外部の記録装置にバックアップする際における、ハードディスク２９ｂ上の上書き領域の設定と残量表示とについて説明している。しかしながら、これに限らず、例えば図１２に示すように、放送受信装置４１で受信し、そこに内蔵されたハードディスク４１ａに記録した番組等のデータを、外部の記録装置４２にバックアップするようなシステムにおいても、上記した実施の形態と同様な管理による上書き領域の設定と残量表示とを行なうことができることはもちろんである。
【００７５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７６】
【図１】この発明の実施の形態を示すもので、撮像システムの概略を説明するために示すブロック構成図。
【図２】同実施の形態における撮像システムを構成するデジタルビデオカメラの外観を説明するために示す図。
【図３】同実施の形態における撮像システムを構成するデジタルビデオカメラの光学系及び電気系を説明するために示すブロック構成図。
【図４】同実施の形態における撮像システムを構成するデジタルビデオカメラのシステム制御部が行なう機能をブロック化して示す図。
【図５】同実施の形態における撮像システムを構成するデジタルビデオカメラで作成される管理リストを説明するために示す図。
【図６】同実施の形態における撮像システムを構成するデジタルビデオカメラで表示されるオーバーライト自動設定切替画面の一例を説明するために示す図。
【図７】同実施の形態における撮像システムを構成するデジタルビデオカメラが行なう処理動作を説明するために示すフローチャート。
【図８】同実施の形態における撮像システムを構成するデジタルビデオカメラが行なう他の処理動作を説明するために示すフローチャート。
【図９】同実施の形態における撮像システムを構成するデジタルビデオカメラで作成される残量表示の一例を説明するために示す図。
【図１０】同実施の形態における撮像システムを構成するデジタルビデオカメラで作成される残量表示の表示形態を説明するために示す図。
【図１１】同実施の形態における撮像システムを構成するデジタルビデオカメラが行なうさらに他の処理動作を説明するために示すフローチャート。
【図１２】この発明が適用される他のシステムの概略を説明するために示すブロック構成図。
【符号の説明】
【００７７】
１１…デジタルビデオカメラ、１２…ＨＤＤレコーダ、１２ａ…ハードディスク、１３…カメラ本体、１４…表示パネル、１５…レンズ部、１６…電源スイッチ、１７…ズームレバー、１８…撮像／再生切替スイッチ、１９…撮像スイッチ、２０…チャプタースイッチ、２１…オート設定スイッチ、２２…静止画撮影用スイッチ、２３…ジョグダイヤル、２４…メニュースイッチ、２５…多機能スイッチ、２６…画像取り込み部、２６ａ…撮像レンズ、２６ｂ…撮像素子、２６ｃ…Ａ／Ｄ変換部、２６ｄ…制御部、２７…画像データ処理部、２７ａ…信号処理部、２７ｂ…メモリコントローラ、２７ｃ…画像圧縮・伸張処理部、２７ｄ…ワークメモリ、２７ｅ…メモリ、２８…表示部、２８ａ…画像表示処理部、２８ｂ…液晶モニタ、２９…記憶部、２９ａ…記録メディアＩ／Ｏ、２９ｂ…ハードディスク、２９ｃ…半導体メモリ、３０…制御部、３０ａ…システム制御部、３０ｂ…撮像制御部、３０ｃ…再生制御部、３０ｄ…表示制御部、３０ｅ…記録制御部、３０ｆ…操作入力判定部、３０ｇ…表示パーツ選択部、３０ｈ…表示パーツ移動処理部、３０ｉ…ハイライト（カーソル）位置制御部、３０ｊ…機能設定部、３０ｋ…セットアップ部、３０ｌ…基本処理制御部、３０ｍ…サムネイル制御部、３０ｎ…チャプター制御部、３０ｏ…姿勢情報処理部、３０ｐ…バックアップ管理制御部、３１…操作部、３２…リモートコントローラ、３３…リモコン受信部、３４…姿勢検出部、３５…外部接続インターフェース、３６…音声Ｉ／Ｏ、３７…マイクロホン、３８…スピーカ、３９…残量表示、４０…消費量表示、４１…放送受信装置、４１ａ…ハードディスク、４２…記録装置。
【図１】
2009124591.tif 000003
【図２】
2009124591.tif 000004
【図３】
2009124591.tif 000005
【図４】
2009124591.tif 000006
【図５】
2009124591.tif 000007
【図６】
2009124591.tif 000008
【図７】
2009124591.tif 000009
【図８】
2009124591.tif 000010
【図９】
2009124591.tif 000011
【図１０】
2009124591.tif 000012
【図１１】
2009124591.tif 000013
【図１２】
2009124591.tif 000014